(57)【要約】      （修正有）【課題】一方の接続目的部と他方の接続目的部とを容易且つ確実に接続でき、また、簡易に弱い力で分離できる接続具を提供する。【解決手段】一端を一方の接続目的部に固定した一方接続片１と、一端を他方の接続目的部に固定した他方接続片５とに挿入穴３、７を各々形成する。この挿入穴３、７に他方接続片５又は一方接続片１を挿通可能とするとともに、どちらか一方の接続片を他方接続片よりも寸法が長いものとする。一方接続片の先端挿入部を他方挿入片の挿入穴に貫通し、この他方接続片の先端挿入部を折り曲げて一方接続片の挿入穴に挿入して左右に引っ張るのみで接続が完了する。一方接続片と他方接続片とはＶ字型のフック状に噛み合うものとなり、強い結束力を確保できる。分離する場合は、一方接続片の先端を上方に引っ張るのみでフック状の噛み合が解除され、分離が可能となる。【選択図】図３
0003185414.tif 000002
【実用新案登録請求の範囲】
【請求項１】
一端を一方の接続目的部に固定した折り曲げ自在の一方接続片と、一端を他方の接続目的部に固定した折り曲げ自在の他方接続片とからなり、この一方接続片と他方接続片とに、挿入穴を各々形成することにより、この一方及び他方の挿入穴に他方接続片又は一方接続片を挿通可能とするとともに、一方または他方の接続片を他方又は一方の接続片よりも寸法が長いものとしたことを特徴とする接続具。
【請求項２】
一方接続片と他方接続片とは、異なる色彩としたことを特徴とする請求項１に記載の接続具。
【請求項３】
一方及び他方の挿入穴は、一方及び他方の接続片の長さ方向にスリット状に設けたものであることを特徴とする請求項１に記載の接続具。
【請求項４】
寸法を長いものとした一方又は他方の接続片は、挿入穴から先端部までの挿入部を、寸法を短いものとした接続片よりも長いものとしたことを特徴とする請求項１または２に記載の接続具。
【請求項５】
一方接続片と他方接続片とは、布地にて形成したことを特徴とする請求項１、２又は３に記載の接続具。
【考案の詳細な説明】
【技術分野】
【０００１】
本考案は、被服の左右に分離した前身頃を接続する場合、手術中もしくは治療中に患者の治療部位を手術台等の目的部に安定的に固定するための抑制帯、エプロンの帯、ベルト等の如く、一方の接続目的部と他方の接続目的部とを確実に接続しようとするものである。
【背景技術】
【０００２】
従来より、一方の接続目的部と他方の接続目的部とを接続する場合には、一方の接続目的部と他方の接続目的部とに各々固定した紐を結び合わせるとか、フックやボタンを掛け合わせるとか、スライドファスナーを係合するとか、面ファスナーを接続する等の方法がとられていた。
【先行技術文献】
【特許文献】
【０００３】
【特許文献１】特開平８ー９２８０５号公報
【考案の開示】
【考案が解決しようとする課題】
【０００４】
しかしながら特許文献１に記載の如く、ボタンによる一方の接続目的部と他方の接続目的部との接続は、不用意な強い力で引っ張られた場合に分離してしまう可能性がある。また、洗濯作業に於いてローラープレス機等の加圧装置を用いる場合には、圧力でボタンを破損してしまう可能性がある。また、Ｘ線撮影やＭＲＩ等の検査時に着用する患者着に金属類、プラスチック類が使用されていると不都合を生じたり、患者に痛み等の苦痛を与える場合がある。また、ボタンやスライドファスナー等では構造が複雑で高価となるとともに硬質の凹凸部に入った汚れが、洗浄によっては除去しにくい場合いが生じる。また、面ファスナーでは、フック状に起毛した面に付着した繊維くず等が、洗浄によっては除去しづらく機能低下を生じる場合がある。
【０００５】
そこで、本考案は上述の如き課題を解決しようとするものであって、一方の接続目的部と他方の接続目的部との接続を容易に行う事ができるとともに、この接続を確実なものとし、一方の接続目的部と他方の接続目的部とに不用意な強い力が加えられた場合にも分離することがなく、強い接続力を確保できるものとする。また、一方の接続目的部と他方の接続目的部とを分離する場合には、簡易に弱い力で分離が可能となる。また、洗濯を行う場合に、ローラープレス器等の加圧装置を用いても部材の破損等を生じる事がない接続具を提供しようとするものである。また、Ｘ線撮影やＭＲＩ等の検査時にも不都合を生じる事がないとともに患者に苦痛を与えることがない接続具を提供しようとするものである。
【課題を解決するための手段】
【０００６】
本考案は上述の如き課題を解決するため、一端を一方の接続目的部に固定した折り曲げ自在の一方接続片と、一端を他方の接続目的部に固定した折り曲げ自在の他方接続片とからなり、この一方接続片と他方接続片とに、挿入穴を各々形成することにより、この一方及び他方の挿入穴に他方接続片又は一方接続片を挿通可能とするとともに、一方または他方の接続片を他方又は一方の接続片よりも寸法が長いものとして成るものである。
【０００７】
また、一方接続片と他方接続片とは、異なる色彩としたものであっても良い。
【０００８】
また、一方及び他方の挿入穴は、一方及び他方の接続片の長さ方向にスリット状に設けたものであっても良い。
【０００９】
また、寸法を長いものとした一方又は他方の接続片は、挿入穴から先端部までの挿入部も、寸法を短いものとした接続片よりも長いものとしたものであっても良い。
【００１０】
また、一方接続片と他方接続片とを、布地にて形成したものであっても良い。
【考案の効果】
【００１１】
本考案は上述の如く構成したものであり、一方接続片の先端の挿入部を他方挿入片の他方挿入穴に挿入貫通し、この他方接続片の先端の挿入部を折り曲げて一方接続片の一方挿入穴に挿入して左右に引っ張るのみで接続を完了するから、一方の接続目的部と他方の接続目的部との接続を容易に行う事ができる。また、この接続は一方接続片の一方挿入穴内に他方接続片を折り曲げて引き込む形で行われるから、一方接続片と他方接続片とはＶ字型のフック状に噛み合うものとなり、両者の接続を確実なものとし、不用意な強い力が一方及び他方の接続目的部に加えられた場合にも接続部は分離することがなく、強い結束力を確保できる。また、一方の接続目的部と他方の接続目的部とを分離する場合には、一方接続片の先端を上方に引っ張るのみで一方接続片の一方挿入穴から他方接続片の先端が引き出され、Ｖ字型のフック状の噛み合が解除され、簡易に弱い力で両者の分離が可能となる。
【００１２】
また、一方接続片と他方接続片とは、布地等の折り曲げ自在の素材で形成しているから、洗濯を行う場合に、ローラープレス器等の加圧装置を用いても部材の破損等を生じる事がない。
【００１３】
また、一方接続片と他方接続片とを、異なる色彩とすれば、一方接続片と他方接続片との識別が容易となり、接続及び分離の作業性を向上することができる。
【００１４】
また、挿入穴を一方及び他方の接続片の長さ方向にスリット状に設ければ、一方及び他方の接続片を挿入穴に挿入して、一方及び他方の接続目的部方向に牽引することにより接続した場合に、挿入穴の広がりが少なく、安定した接続を可能とする。
【００１５】
また、寸法を長いものとした一方又は他方の接続片は、挿入穴から先端部までの挿入部も、寸法を短いものとした接続片よりも長いものとすれば、ふたつの接続片の識別が容易となるとともに、長い方の挿入部を保持するのが容易となり、締結を解除する場合に、挿入部の解除が容易となり、作業性を良好とする。
【００１６】
また、一方接続片と他方接続片とを、布地にて形成したものであっても良い。このように接続片を布地にて形成すれば洗濯が容易となるとともに耐久性に優れ廉価な製造を可能とする。また、Ｘ線撮影やＭＲＩ等の検査時に着用する患者着に使用する場合も、金属類、プラスチック類等の如く不都合を生じたり、患者に痛み等の苦痛を与えることがない。
【図面の簡単な説明】
【００１７】
【図１】一方接続片と他方接続片とを接続目的部に接続した一例を示す平面図。
【図２】一方接続片を他方接続片の他方挿入穴に挿入した状態の斜視図。
【図３】他方接続片を一方接続片の一方挿入穴に挿入した状態の斜視図。
【図４】一方接続片と他方接続片とを接続固定した状態の斜視図。
【図５】一方接続片と他方接続片との分離開始状態の斜視図。
【図６】一方接続片の一方挿入穴から他方接続片が分離した状態の斜視図。
【図７】他方接続片の他方挿入穴から一方接続片を分離する状態の斜視図。
【図８】一方接続片と他方接続片との分離完了状態の斜視図。
【実施例１】
【００１８】
本考案の実施例１について説明すると、(１)は一方接続片で、布地、皮革等の折り曲げ自在の素材にて形成し、一端を被服(４)の左右の前身頃の一方、患者の治療部位を手術台等の目的部に安定的に固定するための抑制帯の一端、エプロンの帯の一方、ベルトの一端等の一方の接続目的部(２)に接続固定している。そして、その一方接続片(１)の先端方向で一方接続片(１)の長さ方向にスリット状に一方挿入穴(３)を形成している。
【００１９】
また、一方接続片(１)と対向する位置には、一方接続片(１)と同様の他方接続片(５)を布地、皮革等の折り曲げ自在の素材にて形成し、一端を被服(４)の左右の前身頃の他方、患者の治療部位を手術台等の目的部に安定的に固定するための抑制帯の他端、エプロンの帯の他方、ベルトの他端等の他方の接続目的部(６)に接続固定している。そして、その一方接続片(１)と同様に、先端方向で他方接続片(５)の長さ方向にスリット状に他方挿入穴(７)を形成している。
【００２０】
また、一方接続片(１)と他方接続片(５)とは、上述の如く共通性を備えているが、次の点で異なっている。即ち、一方接続片(１)は他方接続片(５)よりも寸法が長いものとし、この寸法が長い一方接続片(１)は一方挿入穴(３)から先端部(８)までに形成される一方挿入部(１０)も他方接続片(５)に形成される他方挿入部(１１)よりも長いものとしている。また、一方接続片(１)と他方接続片(５)とは、色彩を異なるものとしている。以上の通り、一方接続片(１)と他方接続片(５)とを異なる構成とすることにより、接続作業時に於ける一方接続片(１)と他方接続片(５)との識別を容易とすることができる。そのため誤った接続をすることがないとともに接続の作業性を向上することができる。
【００２１】
上述の如く構成したものに於いて、図１に示す如く、一方の接続目的部(２)に一端を接続固定した一方接続片(１)と、他方の接続目的部(６)に一端を接続固定した他方接続片(５)とを、通常の使用では分離することのないよう強く接続するには、図２に示す如く、一方接続片(１)を先端の一方挿入部(１０)から他方接続片(５)の一方挿入穴(３)に挿入する。次に、図３に示す如く、他方接続片(５)の先端の他方挿入部(１１)を一方接続片(１)側に折曲げて、一方接続片(１)の一方挿入穴(３)に挿入する。この状態で、図４に示す如く、一方接続片(１)と他方接続片(５)とを、各々一方及び他方の接続目的部(２)(６)側を保持して、相対的に反対方向に牽引する。この牽引は、一方接続片(１)と他方接続片(５)とを、相対的に反対方向に牽引すれば良いから、図４に示す如く、他方接続片(５)の他方の接続目的部(６)側を定位置に保持し、一方接続片(１)の一方の接続目的部(２)側を手で挟持して牽引しても良い。
【００２２】
上記の一方接続片(１)と他方接続片(５)との反対方向への牽引により、一方接続片(１)と他方接続片(５)とは、図３、図４に示す如くＶ字型のフック状に噛み合うものとなるから、一方接続片(１)と他方接続片(５)とを反対方向に牽引する力が強いほど、一方接続片(１)の一方挿入穴(３)に他方接続片(５)の他方挿入部(１１)が食い込むものとなり、強い接続力を生じることができるものとなる。この状態では、一方の接続目的部(２)と他方の接続目的部(６)側に不用意な強い力が加えられた場合にも、一方接続片(１)と他方接続片(５)とは分離することはなく、確実な安定した接続を維持することができる。
【００２３】
また、上記の一方接続片(１)と他方接続片(５)との強固な接続を解除するには、図５に示す如く一方接続片(１)の先端の一方挿入部(１０)を、手指(１２)で保持して上方に引き上げれば、一方接続片(１)と他方接続片(５)との噛み合いは簡単に解除され、図６に示す如く、一方接続片(１)の一方挿入穴(３)から他方接続片(５)の他方挿入部(１１)が引き出される。そのため、一方接続片(１)と他方接続片(５)とのＶ字型のフック状の噛み合いは解除され、図７、図８に示す如く、一方接続片(１)と他方接続片(５)とは分離されるものとなる。
【符号の説明】
【００２４】
１  一方接続片
２  一方の接続目的部
３  一方挿入穴
５  他方接続片
６  他方の接続目的部
７  他方挿入穴
８  先端部
１０  一方挿入部
１１  他方挿入部
【図１】
0003185414.tif 000003
【図２】
0003185414.tif 000004
【図３】
0003185414.tif 000005
【図４】
0003185414.tif 000006
【図５】
0003185414.tif 000007
【図６】
0003185414.tif 000008
【図７】
0003185414.tif 000009
【図８】
0003185414.tif 000010